(57)【特許請求の範囲】
【請求項１】
開口部を有するケースと、
前記ケースの開口部により外部に露出され、文字または画像情報を表示するディスプレーパネルと、
金属部材により形成されて前記ディスプレーパネルの外郭を支持し、前記ケース内に位置されるパネルフレームと、
前記ケースに内蔵された状態で前記パネルフレームに接地され、無線通信を行うための送受信を可能にするアンテナと、
前記パネルフレームを前記ケースに固定するためのブラケットと、を包含して構成され、
前記アンテナは、前記ブラケットと前記パネルフレーム間に一部が挿入されて接地される
ことを特徴とする移動用電子機器。
【請求項２】
前記アンテナは、
前記パネルフレームに密着される接地部と、
前記接地部と所定距離離れて平行に位置するケーブル固定部と、
前記接地部とケーブル固定部とを連結する連結部と、
により構成されることを特徴とする請求項1記載の移動用電子機器。
【請求項３】
前記アンテナは、所定大きさの金属板材が“U”字状にベンディング折曲されて、前記接地部、連結部及びケーブル固定部が一体に形成されることを特徴とする請求項2記載の移動用電子機器。
【請求項４】
前記ケーブル固定部は、前記アンテナの長さ方向に長く延長する送受信部を包含することを特徴とする請求項2記載の移動用電子機器。
【請求項５】
一端は前記ケーブル固定部に連結され、他端は通信制御機器に連結されるケーブルをさらに包含することを特徴とする請求項2記載の移動用電子機器。
【請求項６】
前記ケーブルは、前記接地部と前記ケーブル固定部間を通過するように配置されることを特徴とする請求項5記載の移動用電子機器。
【請求項７】
前記ケーブル固定部には、前記ケーブルのメーンワイヤー及びグラウンドワイヤーが接合される部分がそれぞれ形成されることを特徴とする請求項5記載の移動用電子機器。
【請求項８】
前記接地部の一端には穴が形成され、締結部材が前記穴を介して前記アンテナを前記パネルフレームに固定することを特徴とする請求項2記載の移動用電子機器。
【請求項９】
前記アンテナの幅は、前記パネルフレームの幅よりも小さいことを特徴とする請求項1記載の移動用電子機器。
【請求項１０】
前記アンテナの長さは、前記パネルフレームの長さよりも短いことを特徴とする請求項1記載の移動用電子機器。
【請求項１１】
前記パネルフレームには、前記ディスプレーパネルの側面を取囲む側壁が形成され、
前記アンテナは、前記パネルフレームの側壁に密着するように前記ディスプレーパネルの側面に設置されることを特徴とする請求項1記載の移動用電子機器。
【請求項１２】
前記アンテナと電気的に連結される無線通信制御機器及び、使用者が直接入力操作するための入力キーが前記ケースに具備されることを特徴とする請求項1記載の移動用電子機器。
【請求項１３】
前記アンテナは、前記複数個のブラケットにより前記ディスプレーパネルの左右両側で前記パネルフレームにそれぞれ接地されるように設置されることを特徴とする請求項1記載の移動用電子機器。
【請求項１４】
前記ブラケットは、金属材質により構成されて前記パネルフレームに密着設置され、
前記アンテナは前記ブラケットの一方側に固定されることを特徴とする請求項1記載の移動用電子機器。
【請求項１５】
前記ブラケットは、前記アンテナが固定されるように前記パネルフレームに密着した部分から突出されるアンテナ固定部を有することを特徴とする請求項14記載の移動用電子機器。
【請求項１６】
前記アンテナは、所定長さを有する板状に形成されて前記アンテナ固定部に付着固定されることを特徴とする請求項15記載の移動用電子機器。
【請求項１７】
一端は前記アンテナ及び前記アンテナ固定部にそれぞれ連結され、他端は通信制御機器に連結されるケーブルをさらに包含して構成されることを特徴とする請求項15記載の移動用電子機器。
【請求項１８】
前記ブラケットには、前記ケーブルを支持し得るように前記パネルフレームに密着した部分からケーブル支持部が突出形成されることを特徴とする請求項17記載の移動用電子機器。
【請求項１９】
使用者が直接入力操作するためのキーボード及び前記アンテナと電気的に連結される無線通信制御機器、を備えた本体がさらに包含され、
前記ケースは、前記本体に折畳まれるか、または、本体から広げられるように前記本体に遥動可能に設置されることを特徴とする請求項1記載の移動用電子機器。
【請求項２０】
前記アンテナは、前記ディスプレーパネルの左右両側にそれぞれ設置されることを特徴とする請求項19記載の移動用電子機器。
【請求項２１】
前記パネルフレームにはねじ固定穴が形成され、前記ブラケット及び前記アンテナには前記ねじ固定穴に対応する位置にねじが挿入される穴が形成されて、前記ブラケット及び前記アンテナが前記ねじにより前記パネルフレームに固定されることを特徴とする請求項19記載の移動用電子機器。
【請求項２２】
前記アンテナは、
前記パネルフレームに密着される接地部と、
前記接地部と所定距離離れて平行に位置されるケーブル固定部と、
前記接地部とケーブル固定部とを連結させる連結部と、
により構成されることを特徴とする請求項19記載の移動用電子機器。
【請求項２３】
前記ケーブル固定部は、アンテナの長さ方向に長く延長する送受信部を包含することを特徴とする請求項22記載の移動用電子機器。
【請求項２４】
一端は前記ケーブル固定部に連結され、他端は前記本体の通信制御機器に連結されるケーブルをさらに包含することを特徴とする請求項22記載の移動用電子機器。
【請求項２５】
前記ケーブルは、前記接地部と前記ケーブル固定部間を通過するように配置されることを特徴とする請求項24記載の移動用電子機器。
【請求項２６】
前記ケーブル固定部には、前記ケーブルのメーンワイヤー及びグラウンドワイヤーが接合される部分がそれぞれ形成されることを特徴とする請求項24記載の移動用電子機器。
【請求項２７】
前記ブラケットは、金属材質により構成されて前記パネルフレームに密着設置され、
前記アンテナは、前記ブラケットの一方側に固定されることを特徴とする請求項19記載の移動用電子機器。
【請求項２８】
前記ブラケットは、前記アンテナが固定されるように前記パネルフレームに密着した部分から突出されるアンテナ固定部を有することを特徴とする請求項27記載の移動用電子機器。
【請求項２９】
前記アンテナは、所定長さを有する板状に形成されて前記アンテナ固定部に付着固定されることを特徴とする請求項28記載の移動用電子機器。
【請求項３０】
一端は前記本体の通信制御機器に連結され他端は前記アンテナに連結されて、前記通信制御機器と前記アンテナ間の送受信信号を伝達するケーブルをさらに包含することを特徴とする請求項28記載の移動用電子機器。
【請求項３１】
前記ブラケットには、前記ケーブルを支持し得るように前記パネルフレームに密着した部分からケーブル支持部が突出形成されることを特徴とする請求項30記載の移動用電子機器。
【請求項３２】
下ケースと、該下ケースに設置されて通信制御機器が連結された印刷回路基板と、前記下ケースに結合されて上面にキーボードが位置される上ケースと、からなる本体と、
前記本体に対し、前記キーボードが見える位置と見えない位置間を遥動可能に設置されるディスプレーカバーと、
前記ディスプレーカバーを構成するもので、底面及び側壁が形成された下部ケースと、
前記下部ケースに装着され、外郭にパネルフレームが設置されたディスプレーパネルと、
片方面が前記パネルフレームの側面に接触固定され、反対側面が前記下部ケースの側壁に固定されるように固定部が形成されたブラケットと、
接地部及び送受信部が形成され、前記接地部が前記ブラケットに接触固定されるアンテナと、
を包含して構成されることを特徴とする移動用電子機器。
【請求項３３】
前記アンテナは、前記ディスプレーパネルの左右両側に設置されることを特徴とする請求項32記載の移動用電子機器。
【請求項３４】
前記パネルフレームの側面にはねじ固定穴が形成され、前記ブラケット及び前記接地部には前記ねじ固定穴に対応する穴が形成されて、前記ねじ固定穴と、前記ブラケット及び前記接地部の穴と、を同時に通過して前記ブラケット及び前記接地部を前記パネルフレームに固定させることを特徴とする請求項32記載の移動用電子機器。
【請求項３５】
前記アンテナは、
前記接地部から折曲延長されて前記ブラケットの外方側に配置される連結部と、
前記連結部の終端部から垂直に折曲されるケーブル固定部と、
前記ケーブル固定部の一方側から延長される送受信部と,
により構成されることを特徴とする請求項32記載の移動用電子機器。
【請求項３６】
一端が前記送受信部に連結接合され、他端が前記通信制御機器に連結され、前記一端と他端間の連結部分が前記接地部と前記送受信部間を通過するように配置されたケーブルをさらに包含することを特徴とする請求項35記載の移動用電子機器。
【請求項３７】
一端は前記送受信部に連結接合され、他端は前記通信制御機器に連結され、前記一端と他端間の連結部分が前記接地部と前記送受信部間を通過するように配置されたケーブルをさらに包含することを特徴とする請求項32記載の移動用電子機器。
【請求項３８】
ディスプレーパネルの外郭が金属部材により形成されたパネルフレームにより支持されるディスプレーユニットを有する移動用電子機器において、
前記ディスプレーユニットを支持する底面と、該底面の終端部からほぼ垂直に折曲されて前記ディスプレーユニットを取囲む側壁と、からなる下部ケースと、
前記パネルフレームに密着固定されて前記ディスプレーパネルを支持し、前記下部ケースに固定されるケース固定部が一体形成されたブラケットと、
前記ブラケットに形成されたアンテナ固定部に固定されて外部に信号を送受信するアンテナと、
一方端は本体に連結され、他方端は前記アンテナに連結されて、前記本体と前記アンテナ間の送受信信号を伝達するケーブルと、
により構成されることを特徴とする移動用電子機器。
【請求項３９】
前記ブラケットには、前記ケーブルを支持するケーブル支持部が形成されることを特徴とする請求項38記載の移動用電子機器。
【請求項４０】
前記ケーブルは、前記アンテナ及び前記アンテナ固定部に電気的に連結されるように固定されることを特徴とする請求項38記載の移動用電子機器。
【請求項４１】
下ケースと、該下ケースに設置されて通信制御回路が連結された印刷回路基板と、前記下ケースに結合されて上面にキーボードが位置される上ケースと、からなる本体と、
前記本体に対し、前記キーボードが見える位置と見えない位置間を遥動可能に設置されるディスプレーカバーと、
前記ディスプレーカバーを構成し、底面及び側壁が形成された下部ケースと、
前記下部ケースに装着され、外郭にパネルフレームが設置されたディスプレーパネルと、
片方面が前記パネルフレームの側面に接触固定され、反対側面が前記下部ケースの側壁に固定されるようにケース固定部が突出形成され、該ケース固定部の突出面にアンテナ固定部が形成されたブラケットと、
前記アンテナ固定部に固定されて無線通信を可能にするアンテナと、
一端は本体に連結され他端は前記アンテナに連結されて、前記本体と前記アンテナ間の送受信信号を伝達するケーブルと、
により構成されることを特徴とする移動用電子機器。
【発明の詳細な説明】
【０００１】
【発明の属する技術分野】
本発明は、パームトップ（palmtop）、ノートブック（notebook）、ラップトップ（laptop）などに呼ばれる携帯用コンピュータ（portable  computer）またはPDA（Personal  Digital  Assistant）と呼ばれる携帯用端末機（portable  terminal）のような移動用電子機器（mobil  electronic  equipment）に係るもので、詳しくは、無線通信を可能にするアンテナ及び該アンテナを有する移動用電子機器に関するものである。
【０００２】
【従来の技術】
通常、移動用電子機器とは、小型の携帯用バッテリーから電源を供給されて作動する機器であって、PDA（Personal  Digital  Assistant）のような携帯用端末機、パームトップコンピュータ（PALMTOP  COMPUTER）、ノートブックコンピュータ（NOTEBOOK  COMPUTER）及びラップトップコンピュータ（LAPTOP  COMPUTER）などがある。
【０００３】
このような移動用電子機器は、小型化、軽量化及び大容量化に関する研究が活発に行われ、且つ、外部機器との無線周波数通信を可能にするための研究も活発に行われている。
【０００４】
特に、デスクトップコンピュータ（DESK  TOP  COMPUTER）と無線でデータを送受信するか、または、インターネットなどに接続するための別途のケーブルを連結することなく、本体に内蔵されたLANカードまたはモデム（Modem）カードなどを利用して外部機器と無線通信を行うための装置が実現されつつある。
【０００５】
このように移動用電子機器に無線周波数通信を適用するためには、高効率のアンテナを適用することが必須であるが、このようなアンテナの設計は、小型の移動用電子機器に装着されるという特殊性のため、適用上の不便及び制約があるのが事実である。
【０００６】
例えば、移動用電子機器の本体に折畳式のロードアンテナを内蔵させて、無線通信を行うときは、前記ロードアンテナを本体から長く伸ばして使用するアンテナの場合は、前記ロードアンテナが常に本体の外部に露出された状態であるため、外観のデザインに邪魔になると共に、本体の内部にアンテナを設置するための別途の空間を必要とするため、製品が大型化されるという問題点があった。
【０００７】
他の例として、Madsen  et  al.の“antenna  for  portable  computer（USP  No.6、181、284）”に提示された、コンピュータ本体の上面一方側に折曲可能に設置されるアンテナの場合は、コンピュータを使用しない時はアンテナの周辺に形成された貯蔵部（storage  portion）にアンテナを受容させ、コンピュータを使用する時はコンピュータのディスプレーケースを立てた後、前記貯蔵部からアンテナを垂直に伸ばして使用するようになっているので、使用者の不注意によりアンテナが損傷される憂いがあった。
【０００８】
その他の例として、Karidis  et  al.の“Laptop  computer  with  an  integrated  multi-mode  antenna（USP  No.5、684、672）”に提示された、コンピュータのディスプレーケースの内部一方側に設置されたマルチモードタイプ（multi-mode  type）のホイップ（whip）アンテナの場合は、アンテナを使用するときは、最大効率を出すためにディスプレーケースからアンテナを引出して伸ばし、使用しないときは、堅固性及び便利性を図るために後退させるように構成されているので、アンテナを伸ばした状態で使用する時、人または他の物体にアンテナが引っ掛って損傷を受ける憂いがあった。
【０００９】
【発明が解決しようとする課題】
このように、従来、移動用電子機器の一種である携帯用コンピュータに適用されたアンテナにおいては、全てのアンテナがコンピュータ本体、または、ケースの外部に露出された状態で使用するようになっているため、無線通信のためにアンテナを使用する時、使用者が直接操作してアンテナを露出させなければならず、また、アンテナを露出させた状態で使用中に下手をするとアンテナが損傷を受ける不都合な点があった。
【００１０】
本発明は、このような従来の課題に鑑みて行われたもので、アンテナをケース中に内蔵することで、外部の干渉によるアンテナの損傷を防止し得る、無線通信用アンテナ及び該アンテナを有する移動用電子機器を提供することを目的とする。
【００１１】
そして、本発明の他の目的は、アンテナをケースに内蔵した状態でディスプレーを支持するパネルフレームに電気的に連結されるように設置することで、広い接地面積を確保すると共に、使用者がアンテナを操作しなくても送受信効率を向上し得る、無線通信用アンテナ及び該アンテナを有する移動用電子機器を提供することにある。
【００１２】
且つ、本発明のその他の目的は、アンテナをディスプレーパネルの両側に設置することで製品の全体サイズを増加させない、無線通信用アンテナ及び該アンテナを有する移動用電子機器を提供することにある。
【００１３】
【課題を解決するための手段】
このような目的を達成するため、本発明に係る移動用電子機器においては、開口部を有するケースと、前記ケースの開口部により外部に露出され、文字または画像情報を表示するディスプレーパネルと、金属部材により形成されて前記ディスプレーパネルの外郭を支持し、前記ケース内に位置されるパネルフレームと、前記ケースに内蔵された状態で前記パネルフレームに接地され、無線通信を行うための送受信を可能にするアンテナと、を包含して構成される。
【００１４】
前記アンテナは、前記ディスプレーパネルの左右両側で前記パネルプレームにそれぞれ密着設置される。
【００１５】
前記アンテナは、前記パネルフレームに密着される接地部と、前記接地部と所定距離離れて平行に位置されるケーブル固定部と、前記接地部とケーブル固定部とを連結させる連結部と、により構成される。
【００１６】
前記アンテナは、所定大きさの金属板材が“U”字状にベンディング折曲されて、前記接地部、連結部及びケーブル固定部が一体に形成される。
【００１７】
本発明の1実施形態によると、前記パネルフレームを前記ケースに固定するためのブラケットがさらに包含され、前記アンテナは、前記ブラケットと前記パネルフレーム間に一部が挿入されて接地される。
【００１８】
本発明の他の実施形態によると、前記パネルフレームを前記ケースに固定させるブラケットがさらに包含され、前記ブラケットは、金属材質により構成されて前記パネルフレームに密着設置され、前記アンテナは前記ブラケットの一方側に固定される。
【００１９】
ここで、前記ブラケットは、前記アンテナが固定されるように前記パネルプレームに密着した部分から“L”字状に突出されるアンテナ固定部を有する。
【００２０】
また、前記アンテナは、所定長さを有する板状に形成されて前記アンテナ固定部に付着固定される。
【００２１】
前記目的を達成するための本発明に係る無線通信用アンテナは、移動用電子機器に内蔵された状態で設置された無線通信用アンテナにおいて、移動用電子機器に内蔵された金属部材に接地される接地部と、前記接地部と所定距離離れて平行に位置され、通信制御機器に連結されるケーブルの終端部が電気的に連結されるケーブル固定部と、前記接地部とケーブル固定部とを連結する連結部と、により構成されることを特徴とする。
【００２２】
前記アンテナは、所定大きさの金属板材が“U”字状にベンディング折曲されて、前記接地部、連結部及びケーブル固定部が一体に形成される。
【００２３】
前記ケーブル固定部は、前記アンテナの長さ方向に延長する送受信部を包含する。
【００２４】
【発明の実施の形態】
以下、本発明の実施の形態に対し、図面を用いて説明する。
【００２５】
図1は、本発明の第1実施形態に係る無線通信用アンテナを備えた移動用電子機器としてPDAとデスクトップコンピュータ間の無線通信状態を概略的に示したもので、図示されたように、デスクトップコンピュータ1は、中央処理処置（CPU）及びモデムなどが内蔵された本体2と、該本体2に連結されたキーボード3及びモニター4と、により構成され、前記本体2に連結されたケーブル5を介して通信送受信中継機15と連結されて無線、または、有線通信を行うようになっている。
【００２６】
本発明のアンテナ26、40は、移動用電子機器の一種である第1、第2PDA20、30にそれぞれ内蔵されてある。
【００２７】
ここで、前記移動用電子機器とは、PDA、パームトップコンピュータ（PALMTOP  COMPUTER）、携帯用コンピュータ（NOTEBOOK  COMPUTER）及びラップトップコンピュータ（LAPTOP  COMPUTER）などを通称する一般用語で、図1には二種類のPDA20、30が示されている。
【００２８】
先ず、前記第1PDA20は、ディスプレーユニット25が本体23に一体設置されたもので、該本体23は、下部ケース21と上部ケース22とが組み合わされて構成され、該本体23の内部にCPU及び通信制御機器などが設置される。
【００２９】
前記下部ケース21は前記ディスプレーユニット25を支持し、前記上部ケース22の上面には前記ディスプレーユニット25が露出されて、使用者が該ディスプレーユニット25に表示される文字や画像情報を見ることができるように構成されている。
【００３０】
前記上部ケース25には、使用者がPDAを操作するための複数の入力キー24が設置される。
【００３１】
特に、前記本体23には、前記ディスプレーユニット25の両側に、後述する本発明のアンテナ26が設置され、該アンテナ26は前記通信制御機器に連結されている。
【００３２】
一方、前記第2PDA30は、上面に複数の入力キー32が設置され、内部には各種データ処理を行うための中央処理処置（CPU）及び通信制御機器を備える本体31と、該本体31に折畳まれるか、または、該本体31から広げられるように該本体31の後方側にヒンジ31aにより揺動可能に結合されるディスプレーケース33と、により構成されている。
【００３３】
前記ディスプレーケース33には、文字や画像情報が表示されるディスプレーユニット35が設置され、該ディスプレーユニット35の両側に本発明のアンテナ40が設置される。
【００３４】
このように構成された前記第1、第2PDA20、30において、前記各アンテナ26、40は、前記各ディスプレーユニット25、35の両側面に設置されているが、使用及び設計条件によって、片側だけに設置することもできる。
【００３５】
前記第1、第2PDA20、30が前記各アンテナ26、40を介して無線でデータを送信すると、前記通信送受信中継機15のアンテナ16を経由して前記デスクトップコンピュータ1に受信される。反対に、前記デスクトップコンピュータ1から送信されたデータも、前記通信送受信中継機15のアンテナ16を経由して前記第1、第2PDA20、30の前記各アンテナ26、40を介して無線で受信される。
【００３６】
前記第1PDA20と第2PDA30間にもそれぞれのアンテナ26、40及び通信送受信中継機15を介して送、受信することができる。
【００３７】
以下、図2、図3及び図4に基づいて本発明に係る無線通信用アンテナの第1実施形態について説明する。
【００３８】
図2は、図1の前記第2PDA30の“A”部分を示した分解斜視図で、本発明に係るアンテナ40が設置された状態を示している。勿論、図1に示された前記第1PDA20のように、本体23にディスプレーユニット25が一体に結合された携帯用端末機のアンテナ26も図2に示されたものと同様に構成される。
【００３９】
図2においては、説明の便宜上、前記第2PDA30の右側だけを示して説明するが、左側にアンテナが設置される場合にも構成は同様になる。
【００４０】
前記第2PDA30のディスプレーケース33は下部ケース（lower  case）50及び上部ケース55が相互に組み合わされて構成され、それら下部ケース50及び上部ケース55の内には前記ディスプレーユニット35及びアンテナ40が設置される。
【００４１】
前記下部ケース50は、前記ディスプレーユニット35を支持する底面（bottom  wall）51と該底面51の終端部（edge  portion）から垂直に折曲形成された側壁52と、が形成され、前記下部ケース50の側壁52にはねじ穴53が穿孔形成され、前記側壁52の内側面には前記ねじ穴53に対応する位置に固定ブラケット52aが突成され、該固定ブラケット52aには前記ねじ穴53に対応する穴53aが穿孔形成されている。
【００４２】
前記上部ケース55においては、四角縁形状に形成されて、前記ディスプレーユニット35を取囲む形態に側壁57が前記下部ケース50に固定されることによって前記ディスプレーユニット35を支持し、前記ディスプレーパネル38が露出されるように開口部56が形成される。
【００４３】
前記ディスプレーユニット35は、ディスプレーパネル38と、該ディスプレーパネル38の外郭面に形成されて、該ディスプレーパネル38の撓みなどを防止するように該ディスプレーパネル38の側面全体及び、上面及び下面の一部を包みながら支持するパネルフレーム37と、により構成されている。
【００４４】
前記パネルフレーム37は、前記ディスプレーパネル38の保護強度を確保し得るように金属材料により形成され、該ディスプレーパネル38の側面を包む側壁39には2個のねじ穴39a、39bが穿孔形成されている。
【００４５】
図3は、図2の前記アンテナ40を詳細に示したもので、図4は、前記アンテナ40が前記ディスプレーユニット35の側面に固定された状態を示したものである。
【００４６】
即ち、本発明の第1実施例に係る前記アンテナ40は、前記パネルフレーム37の側壁39に密着接触される接地部41と、該接地部41の側面から垂直折曲して延長される連結部42と、前記連結部42の外端部から垂直折曲されて前記接地部41と所定距離離れて平行に位置されるケーブル固定部48と、により構成され、前記ケーブル固定部48には、その上端部から下方側に前記アンテナ40の長さ方向に長く延長されるほぼ“L”字状の送受信部49が形成され、前記接地部41、連結部42、ケーブル固定部48及び送受信部49はプレス加工されて“U”字状に折曲された形態に形成されて前記パネルフレーム37に付着固定される。
【００４７】
前記接地部41の上方端部には穴41aが穿孔形成されて前記アンテナ40を前記パネルフレーム37の側壁39にねじ47により組立固定できるようになっている。
【００４８】
前記ケーブル固定部48及び送受信部49には、図1の本体に具備された通信制御機器（未図示）から連結されるケーブル43の端部が固定されて電気的に連結される。
【００４９】
前記接地部41及び送受信部49の幅及び長さは、前記パネルフレーム37よりも大きくならないように前記パネルフレーム37の側壁39の幅及び長さと同様に形成するか、または、小さく形成することが好ましい。
【００５０】
前記アンテナ40は、リン青銅材質の金属板体をプレス加工により“U”字状に折曲させることによって、前記接地部41、連結部42、ケーブル固定部48及び送受信部49が一体に形成される。
【００５１】
また、前記ケーブル43の内部メーンワイヤーは前記送受信部49の接合部49aに電気的に連結され、前記ケーブル43の外部接地線は前記ケーブル固定部48の接合部48aに電気的に連結される。
【００５２】
即ち、前記アンテナ40のケーブル固定部48及び送受信部49には、前記本体31の通信制御装備であるLANカードに連結されたケーブル43が接合され、詳しくは、前記送受信部49の接合部49aには前記ケーブル43の中心部にあるメーンワイヤーが接合され、前記ケーブル固定部48の接合部48aにはメーンワイヤーの周りに形成されたグラウンドワイヤーが接合される。
【００５３】
以下、図1〜図4に基づいて、ディスプレーケース33の組立過程に対し前記アンテナ40を中心に説明する。
【００５４】
先ず、パネルフレーム37のねじ固定穴39aとアンテナ40の穴41aとを一致させた状態でねじ47により固定させると、前記アンテナ40の接地部41が前記パネルフレーム37の側面39に密着した状態に接触されて固定される。
【００５５】
次いで、本体31の通信制御回路（図示せず）に連結されたケーブル43が前記アンテナ40の接地部41と送受信部49の間を通過するように配線作業を行い、前記ケーブル43の終端部をケーブル固定部48及び送受信部49にそれぞれ固定する。
【００５６】
次いで、下部ケース50に前記アンテナ40が固定されたディスプレーユニット35を装着させると、図2に示したように、前記パネルフレーム37が前記下部ケース50の固定ブラケット52aに案内されて装着され、前記パネルフレーム37の側面39に形成されたねじ穴39bが前記固定ブラケット52aの穴53aに一致した状態で位置される。
【００５７】
このような状態で前記下部ケース50のねじ穴53、53aにねじ54を挿入して前記パネルフレーム37のねじ穴39bに締結すると、前記ディスプレーユニット35が前記下部ケース50にしっかり固定される。
【００５８】
次いで、前記下部ケース50に固定された前記ディスプレーユニット35の上部に上部ケース55を固定させる。この時、前記上部ケース55の縁部が前記下部ケース50の側壁52とフック方式またはねじ締結方式などにより結合されて固定される。
【００５９】
よって、前記ディスプレーケース33の内部には前記ディスプレーユニット35が固定される同時に、前記ディスプレーユニット35の左右側に前記本発明に係るアンテナ40が密着位置される。
【００６０】
図5は、本発明の第2実施形態に係る無線通信用アンテナを具備したノートブックコンピュータを示したものである。
【００６１】
ノートブックコンピュータ61の本体63は、上部ケース63aと下部ケース63bとが相互結合されて構成され、前記上部ケース63aの上面には情報を入力するための複数個の入力キーからなるキーボード64が設置されている。
【００６２】
前記下部ケース63bとキーボード64間の本体63の内部には、光ディスクドライブ（optical  disk  drive）及びハードディスク（hard  disk）などのデータ格納装置（data  storage  device）が設置され、中央処理処置（CPU、未図示）が設置された印刷回路基板が設置されて、前記印刷回路基板の一方側には無線周波数通信を可能にする通信制御機器としてLANカード（図示せず）が具備されている。
【００６３】
そして、前記本体63の後方（rear）にはディスプレーケース62がヒンジメカニズム65により使用者が前記キーボード64が見える位置と見えない位置間を遥動可能に設置されて、前記本体63に折畳まれるか、または、広げられるように遥動可能に結合される。
【００６４】
前記ディスプレーケース62には、ディスプレーパネル67及び、無線通信を可能にする2個のアンテナ40が前記ディスプレーパネル67の左右側面に内蔵される。
【００６５】
前記ディスプレーケース62は、上部ケース71が下部ケース72の外周縁部に結合されて組み合わされ、前記上部ケース71は前記ディスプレーパネル67が露出されて使用者に見えるように開口されている。
【００６６】
図6及び図7は、前記ディスプレーケース62の内部にアンテナ40が設置された状態を示した切り欠き斜視図であって、図6はアンテナ40が組立てられた状態を示した斜視図、図7はアンテナが分解された状態を示した斜視図、である。
【００６７】
ここで、図6及び図7は、説明の便宜上、前記ディスプレーケース62の右側部分だけを示しいるが、未図示の左側部分も図6及び図7に示されたものと対称的に同様である。
【００６８】
前記ディスプレーケース62の下部ケース72は、底面72aと、該底面72aの終端部（edge  portion）から折曲して一体に延長された側壁72bと、により構成され、前記下部ケース72の内部には各種情報が表示されるディスプレーパネル67が位置する。
【００６９】
前記ディスプレーパネル67の外縁面には金属材質からなるパネルフレーム68が設置され、該パネルフレーム68の側面68aには、図7に示したように、ねじ固定穴68bが上部と下部とにそれぞれ形成されている。
【００７０】
ノートブックコンピュータに用いられるディスプレーパネル67の大きさは現在14インチ以上と大きくなって重量が増加しているので、前記ディスプレーパネル67を前記下部ケース72に固定するために金属部材のブラケット69が提供される。
【００７１】
即ち、前記ディスプレーパネル67の両側面の前記パネルフレーム68に前記ブラケット69が密着固定され、該ブラケット69の下端部69aは、図5の前記ノートブックコンピュータの本体63とディスプレーケース62とを連結するヒンジメカニズム65に連結される。
【００７２】
このような前記ブラケット69には、前記パネルフレーム68の側面68aに固定されるプレート部（plate  portion）69bが具備され、該プレート部69bには前記ねじ固定穴68bに対応する位置に上、下部穴75a、75bがそれぞれ穿孔形成される。
【００７３】
また、前記ブラケット69は、前記パネルフレーム68の側面68aのとほぼ同一長さに形成され、上端部及び中間部には前記プレート部69bの終端部から“L”字状に突出される複数の固定部70がそれぞれ形成される。
【００７４】
前記各固定部70にはねじ固定穴70aがそれぞれ形成されて、前記ディスプレーケース62の下部ケース72にねじ（図示せず）により締結されている。
【００７５】
前記アンテナ40は、前記第1実施形態のものと同様に構成されるので、以下、同一符号を付して説明する。
【００７６】
前記ノートブックコンピュータに具備されたアンテナ40は、接地部41、連結部42、ケーブル固定部48及び送受信部49が連続して折曲された形態に構成される。
【００７７】
前記アンテナ40の接地部41と送受信部49間の距離は、前記ブラケット69の固定部70の突出長さと同様であるか、または、小さく構成される。また、前記アンテナ40の長さは、前記パネルフレーム68またはブラケット69の長さと同様であるか、小さく構成される。
【００７８】
前記接地部41の上方端部にはねじが締結される穴41aが穿孔形成されるので、前記アンテナ40及びブラケット69は、前記パネルフレーム68の側壁68aに各ねじ80、81により締結固定される。
【００７９】
また、前記アンテナ40に連結されるケーブル43は、ノートブックコンピュータ本体63に設置された通信制御機器のLANカード（図示せず）から前記ケーブル固定部48とブラケット69間に配線され、終端部は前記ケーブル固定部48及び送受信部49にそれぞれ連結される。
【００８０】
図8は、図6のB-B線方向から見た組立状態を示した断面図である。
【００８１】
前記ブラケット69のほぼ中間位置にケーブル掛止部76が前記下部ケース72の側壁72b方向に突出して“L”字状に折曲形成されるので、前記ケーブル43は前記ブラケット69の側面に形成された前記ケーブル掛止部76により動きが削減されて安定的に位置される。
【００８２】
以下、本発明の第2実施形態に係る無線通信用アンテナ40が具備されたディスプレーケース62の組立過程に対し、図5〜図8を参照して説明する。
【００８３】
先ず、パネルフレーム68の側壁68aに形成された上部のねじ固定穴68bと、アンテナ40に形成された接地部41の穴41aと、ブラケット69の上部穴75aと、を順次的に一致させた状態で、前記ねじ80を前記ブラケット69の上部穴75a及び前記アンテナ40の穴41aを介して前記パネルフレーム68のねじ固定穴68bに締結する。
【００８４】
この時、前記アンテナ40の接地部41は前記パネルフレーム68の側壁68aと前記ブラケット69間に密着接触して固定される。
【００８５】
次いで、前記パネルフレーム68の側壁68aに形成された下部のねじ固定穴68bと、前記ブラケット69の下部穴75bと、を一致させた状態で、ねじ81を前記ブラケット69の穴75bを介して前記パネルフレーム68の下部ねじ固定穴68bに締結させると、前記ブラケット69の下部が前記パネルフレーム68に密着固定される。
【００８６】
次いで、前記パネルフレーム68の側壁68aに固定された前記ブラケット69をねじ（図示せず）により前記ディスプレーケース62の下部ケース72に固定させる。即ち、前記ねじは、前記ブラケット69の上下ねじ固定穴70aを貫通して前記ディスプレーケース62の下部ケース72に締結される。
【００８７】
次いで、前記下部ケース72に固定された前記ディスプレーパネル67の上部に前記上部ケース71を固定させる。このとき、前記上部ケース71はその縁面が前記下部ケース72の側壁72bに連結固定される。従って、前記パネルフレーム68、アンテナ40及びブラケット69は、前記ディスプレーケース62の内部に位置して外部からは見えなくなる。
【００８８】
特に、前記アンテナ40は、前記ディスプレーケース62の内部の前記ディスプレーパネルの左右両側に位置される。
【００８９】
上述した本発明の第2実施形態においては、前記アンテナ40の接地部41が前記パネルフレーム68とブラケット69間に位置するように構成されているが、別の方法として、前記パネルフレーム68、前記ブラケット69及びアンテナ40の接地部41の順に配置させた後、ねじにより前記ブラケット69及び接地部41を前記パネルフレーム68に固定させることも可能である。
【００９０】
また、本発明の第2実施形態においては、1個のねじ80を使用して前記アンテナ40及びブラケット69を前記パネルフレーム68の側面68aに同時に固定しているが、前記ブラケット69にねじまたはハンダ付けなどの方法により前記アンテナ40を固定させた後、前記ブラケット69をパネルフレーム68に固定させることも可能である。
【００９１】
また、本発明の第2実施形態においては、前記ブラケット69が前記下部ケース72の側壁72bに固定されるように構成しているが、前記ブラケット69が前記下部ケース72の底面72aにねじにより固定される場合も、本発明の思想を外れない範囲内で前記アンテナ40を固定させることができる。
【００９２】
図9は、本発明の第3実施形態に係る無線通信用アンテナを具備したノートブックディスプレーケースの要部を示した分解斜視図である。
【００９３】
本発明の第3実施形態においては、アンテナがパネルフレーム68をディスプレーケースに固定させるブラケット82に一体に形成された構造である。
【００９４】
ディスプレーパネル67の外周面を沿って金属からなる前記パネルフレーム68が前記ディスプレー67に固定され、前記パネルフレーム68の側面68aにはねじ固定穴68bが上下部に形成されてあることは前記第2実施形態と同様である。
【００９５】
且つ、前記ディスプレーパネル67及び前記パネルフレーム68を前記下部ケース72に固定させるための金属材料のブラケット82が構成される。
【００９６】
前記ブラケット82には、前記パネルフレーム68のねじ固定穴68bに対応する位置に各穴88a、88bがそれぞれ形成されるので、前記パネルフレーム68及び前記ブラケット82はねじ90により相互密着して固定される。
【００９７】
即ち、前記パネルフレーム68の左右両側に形成された前記各ねじ固定穴68b、68bと前記ブラケット82の各穴88a、88bとを一致させた状態で、前記ねじ90により前記パネルフレーム68に前記ブラケット82を固定させると、該ブラケット82が前記パネルフレーム68に密着した状態で固定される。
【００９８】
ここで、前記ブラケット82は前記パネルフレーム68の側面68aの長さとほぼ同一長さに形成され、前記パネルフレーム68に密着されるプレート部83の両端部から延長されて、“L”字状に折曲されたケース固定部84、85がそれぞれ形成される。
【００９９】
前記各ケース固定部84、85には前記各ねじ固定穴84a、85bがそれぞれ形成されてねじ99により締結されて、前記ディスプレーケース62の下部ケース72に固定される。
【０１００】
即ち、前記下部ケース72の側壁72bの上下部にそれぞれ形成された穴98を介して前記ねじ99が前記上、下ケース固定部84、85の各ねじ固定穴84a、85bに締結されることで、前記ブラケット82が前記下部ケース72に固定支持される。
【０１０１】
特に、本発明の第3実施形態においては、前記ブラケット82にアンテナ固定部87が一体に延長形成される。
【０１０２】
即ち、前記アンテナ固定部87は前記ブラケット82の各ケース固定部84、85間に位置され、前記ブラケット82のプレート部83部から“L”字状に所定長さだけ折曲して延長される。
【０１０３】
前記プレート部83から前記アンテナ固定部87の突出長さは、前記プレート部83から前記各ケース固定部84、85の突出長さよりも短く形成される。
【０１０４】
このような前記アンテナ固定部87の片方の端部には、前記プレート部83と平行して位置される面に所定長さを有するアンテナ92が固定され、該アンテナ92は、リン青銅の材質により形成されて、ハンダ付け固定方式やねじ締結方式によって前記アンテナ固定部87に固定される。
【０１０５】
前記アンテナ92には、ノートブックコンピュータの本体から前記アンテナ92に送信信号を伝達するか、または、前記アンテナ92から受信された信号を本体に伝達するケーブル95が連結され、ここで、該ケーブル95は、送受信信号を伝達するメーンワイヤー96が中心部に位置され、該メーンワイヤー96の周囲に絶縁体を挟んでグラウンドワイヤー97が設置されて構成されている。
【０１０６】
前記メーンワイヤー96は前記アンテナ92の固定部93に電気的に連結され、前記グラウンドワイヤー97は前記アンテナ固定部87の連結部94に電気的に連結固定される。
【０１０７】
前記アンテナ92及び前記アンテナ固定部87に連結された前記ケーブル95は、前記アンテナ固定部87と前記ブラケット82のプレート部83間を通過するように配置され、このとき、前記ブラケット82のプレート部83には、該プレート部83の底面からほぼ中間高さ程度にケーブル支持部86が突出形成されて前記ケーブル95を支持するように構成されている。
【０１０８】
このように構成された本発明の第3実施形態においては、前記アンテナ92が前記ブラケット82に一体固定されるので、前記ディスプレーパネル67及びパネルフレーム68を支持する前記ブラケット82を前記下部ケース72に固定させる作業を容易に行うことが可能で、前記アンテナ92の接地を金属材質の前記ブラケット82及びパネルフレーム68で行うように構成されているので、接地面積を拡大することができる。
【０１０９】
【発明の効果】
以上説明したように、本発明に係る移動用電子機器においては、無線通信用アンテナがPDAやノートブックコンピュータなどの携帯用電子機器の内部に内蔵されて、外部に露出されない状態で無線通信を行うための送受信が可能になるように構成されているので、使用者がアンテナを直接操作しなければならないという従来の問題点を解決することが可能で、また、使用中の過ちによるアンテナの損傷を防止し得るという効果がある。
【０１１０】
且つ、本発明に係る無線通信用アンテナにおいては、携帯用電子機器を構成するディスプレーの両側に金属材のパネルフレームに密着して接地されるため、アンテナよりも面積が広いパネルフレームを接地部として使用することが可能で、よって、アンテナの送受信効率を向上し得るという効果がある。
【０１１１】
また、本発明に係る無線通信用アンテナにおいては、使用者がディスプレーケースを立ててノートブックコンピュータを使用する時、ディスプレーケース内に内蔵されたアンテナも立てられるので、無線通信を行うための信号の送受信が円滑になると共に、アンテナの厚さがブラケットの厚さよりも厚くない条件下でブラケットに結合設置されるので、ディスプレーケースの左右の長さを増加させずにアンテナを内蔵させて、安定的に使用することが可能になる。
【図面の簡単な説明】
【図１】本発明の第1実施形態に係る無線通信用アンテナを備えた移動用電子機器の一種である2台のPDAとデスクトップコンピュータ間の無線通信状態を示した概略図である。
【図２】図1の“A”部分を示した分解斜視図である。
【図３】図2の無線通信用アンテナを示した詳細斜視図である。
【図４】本発明の第1実施形態に係る無線通信用アンテナがディスプレーユニットの側方面に固定された状態を示した側面図である。
【図５】本発明の第2実施形態に係る無線通信用アンテナを備えたノートブックコンピュータを示した斜視図である。
【図６】図5のノートブックコンピュータのディスプレーケースの内部にアンテナが組立された状態を示した切り欠き斜視図である。
【図７】図6の分解斜視図である。
【図８】図6のB−B線方向から見た組立状態を示した断面図である。
【図９】本発明の第3実施形態に係る無線通信用アンテナを備えたノートブックコンピュータの主要部を示した分解斜視図である。
【図１】
0004205345.tif 000002
【図２】
0004205345.tif 000003
【図３】
0004205345.tif 000004
【図４】
0004205345.tif 000005
【図５】
0004205345.tif 000006
【図６】
0004205345.tif 000007
【図７】
0004205345.tif 000008
【図８】
0004205345.tif 000009
【図９】
0004205345.tif 000010